(57)【要約】【課題】  液状、霧状等を噴出する噴出器をバッグ等に入れて持ち歩いても、カバーキャップが容器体から外れて、押下げヘッド１３が押下げ可能状態とならないようにして、バッグ内が噴出器からの吐出物によって汚れることを防止する。【解決手段】  容器体口頸部３外面へ周壁を嵌合させた装着筒４で容器体内へシリンダ７を垂下し、該シリンダ内から上方付勢されて起立するステム１１の上端部へ、ノズル１２付きの押下げヘッド１３を嵌合させ、該押下げヘッドの上下動でノズルから容器体内容物を噴出可能な携帯用噴出器であって、装着筒の周壁４ａ上端から内向きフランジを介して嵌合筒１７を起立し、押下げヘッド１３に間隙を介して嵌合させたカバーキャップ１８下部を嵌合筒１７へ抜出し防止用の凹凸の係合手段１９、２０を介して嵌合させた。【選択図】  図２
2008030831.tif 000002
【特許請求の範囲】
【請求項１】
容器体口頸部３へ嵌合させた装着筒周壁４ａ上面から吐出部１３、２７を起立するとともに、上記周壁４ａ上面外周部から上記吐出部を囲繞する嵌合筒１７を起立し、該嵌合筒へカバーキャップ１８下部を抜出し防止用の凹凸の係合手段を介して嵌合させたことを特徴とする携帯用吐出器。
【請求項２】
上記容器体は、上記装着筒４で容器体胴部内へシリンダ７を垂下し、該シリンダ内から上方付勢されて起立するステム１１の上端部へ、ノズル１２付きの押下げヘッド１３を嵌合させ、該押下げヘッドの上下動で上記ノズルから容器体内容物を噴出可能であることを特徴とする請求項１記載の携帯用吐出器。
【請求項３】
上記カバーキャップ１８と嵌合筒１７とのいずれか一方に係合突部２０を、他方に該突部が摺動自在に係合可能な係合溝部１９を、それぞれ形成し、かつ、該係合溝部の終端部に上記係合突部２０が強制乗り越え可能な係合部を設けることで上記凹凸の係合手段を構成したことを特徴とする請求項１又は２記載の携帯用吐出器。
【請求項４】
上記嵌合筒に雄ネジ２２を、かつ、上記カバーキャップ１８に雌ネジ２２を、それぞれ設けることで上記凹凸の係合手段を構成したことを特徴とする請求項１又は２記載の携帯用吐出器。
【請求項５】
上記容器体口頸部３外面と上記装着筒の周壁４ａ内面とのそれぞれに互いに係合させて回り止め突部２１を形成したことを特徴とする請求項１ないし４のいずれか１つに記載の携帯用吐出器。  
【発明の詳細な説明】
【技術分野】
【０００１】
本発明は、振り出し容器あるいは押下げヘッドの上下動によりノズルから液状、霧状、泡沫状等の内容物を噴出可能な噴出器等の携帯用吐出器に関する。
【背景技術】
【０００２】
容器体口頸部へ嵌合させた装着キャップの上面から吐出筒を起立するとともに、該吐出筒を囲繞する嵌合筒を装着キャップ上面外周部から起立し、該嵌合筒へカバーキャップを嵌合させた振り出し容器や、容器体口頸部外面へ嵌合させた装着キャップで容器体内へシリンダを垂下し、該シリンダ内から押下げヘッド付き作動部材を上方付勢して起立させ、装着キャップ上端から起立する嵌合筒に、押下げヘッドを覆うカバーキャップを嵌合させた噴出器がある (特許文献１参照)。
【特許文献１】特開平７−３１５４１１号公報
【発明の開示】
【発明が解決しようとする課題】
【０００３】
しかしながら、上記従来の振り出し容器では、カバーキャップが嵌合筒から外れた場合に、液体や粉等の内容物が吐出筒からこぼれ出るといった不都合があった。また、上記特許文献１記載の噴出器では、これを携帯用として用い、バッグ、カバン等に入れて持ち歩く場合に、バッグ等の中でカバーキャップが容器体から外れることが往々にしてあり、すると押下げヘッドが押下げ可能な状態となり、何らかのはずみで押下げヘッドが押下げられ、押下げヘッドのノズルから内容物が吐出されて、バッグ等の中が吐出物で汚されるといった欠点があった。
本発明は上記問題点に鑑みてなされたもので、噴出器をバッグ等に入れて持ち歩いても容易にカバーキャップが容器体から外れることがなく、したがって、バッグ内が噴出器からの吐出物によって汚れることを防止することが可能な携帯用噴出器を提供することを目的とする。
【課題を解決するための手段】
【０００４】
第１の手段として、容器体口頸部３へ嵌合させた装着筒の周壁上面から吐出部を起立するとともに、上記周壁上面外周部から上記吐出部を囲繞する嵌合筒を起立し、該嵌合筒へカバーキャップ１８下部を抜出し防止用の凹凸の係合手段を介して嵌合させたことを特徴とする。
【０００５】
第２の手段として、容器体は、上記装着筒４で容器体胴部内へシリンダ７を垂下し、該シリンダ内から上方付勢されて起立するステム１１の上端部へ、ノズル１２付きの押下げヘッド１３を嵌合させ、該押下げヘッドの上下動で上記ノズルから容器体内容物を噴出可能であることを特徴とする。
【０００６】
第３の手段として、カバーキャップ１８と嵌合筒１７とのいずれか一方に係合突部２０を、他方に該突部が摺動自在に係合可能な係合溝部１９を、それぞれ形成し、かつ、該係合溝部の終端部に上記係合突部２０が強制乗り越え可能な係合部を設けることで上記凹凸の係合手段を構成したことを特徴とする。
【０００７】
第４の手段として、嵌合筒に雄ネジ２２を、かつ、上記カバーキャップ１８に雌ネジ２２を、それぞれ設けることで上記凹凸の係合手段を構成したことを特徴とする。
【０００８】
第５の手段として、容器体口頸部３外面と上記装着筒の周壁４ａ内面とのそれぞれに互いに係合させて回り止め突部２１を形成したことを特徴とする。
【発明の効果】
【０００９】
本発明は、カバーキャップを嵌合筒へ抜出し防止用の凹凸の係合手段を介して嵌合させたので、噴出器をバッグ等の中に入れて持ち歩いてもカバーキャップが容器体から外れることがなく、したがって、容器体内容物がこぼれ出たり、あるいは押下げヘッドが押下げ可能な状態となることがなく、このため、衝撃等何らかの外部からの力により、押下げヘッドが押下げられてバッグ内が噴出器からの吐出物で汚されるといった事態が防止される。
【００１０】
また、本発明は、凹凸の係合手段を係合突部と係合溝部とで構成し、しかも、溝部に係合突部が強制乗り越え可能な係合部を設けたので、カバーキャップの嵌合筒に対する取付け操作が容易であるとともに、カバーキャップが嵌合筒から簡単に外れることがない。
【００１１】
さらに、本発明は、凹凸の係合手段をネジで構成したので、カバーキャップの嵌合筒に対する取付けが、簡素な構成であるにもかかわらず比較的強固である。
【００１２】
さらに本発明は、容器体口頸部外面と装着筒の周壁内面とに回り止め突部を形成したので、カバーキャップの嵌合筒に対する着脱操作時に、装着筒がカバーキャップとともに共回りすることが防止される。
【発明を実施するための最良の形態】
【００１３】
以下、図面に示す実施の形態を参照しながら本発明を説明する。
図１は本発明に係る携帯用吐出器を適用した一例を示すもので、容器体１とポンプ２とを備えている。ポンプ２は、容器体１の胴部上端から肩部を介して起立する口頸部３外周に嵌合させた装着筒４の周壁４ａにより容器体１に着脱可能に固定するとともに、容器体１内に挿入固定されて開口する吸引部５及び容器体１外部に上方付勢状態で上下動可能に露出する作動注出部６とを備え、作動注出部６を作動させることにより容器体１内の液体を吸引部５より吸い上げて作動注出部６より注出する如く構成した公知のポンプ機構を有するものが採用できる。
【００１４】
吸引部５としては種々の構造のものが使用出来るが、例えば、図１に示す如く内部に公知の吸い込み弁機構等を有するシリンダ７と、該シリンダ下端に上端部を嵌着固定して下方へ垂下する液吸い上げ用のパイプ８等より構成したものが挙げられ、従来のこの種容器の吸引部の構造を採用できる。
【００１５】
また、作動注出部６も同様に種々の構造のものが使用できる、例えば図１に示す如く、シリンダ７内周を上下に摺動する環状ピストン（図示せず）を下端に突設するとともに、上端部に吐出弁を設けたステム1１と、該ステム上端に固定したノズル1２付き押し下げヘッド1３等から構成され、ピストン下方に介在させたコイルスプリング（図示せず）により常時上方へ付勢させるとともに、上下動可能且つ回動可能に構成したものが挙げられる。
【００１６】
さらに、ポンプ２として例えば、図１に示す如く、容器体口頸部３外周に嵌合させた装着筒周壁４ａ上端縁より内向きフランジ状の頂壁1４を延設し、該頂壁内周縁部にシリンダ７上端縁を嵌着固定させたものが挙げられ、頂壁1４中央部に下端面を開口した二重筒状部1５を立設し、該筒状部の内外筒壁間にシリンダ７上端を嵌着固定している。
【００１７】
いずれにしても本発明が適用されるポンプは上記のものに限らず、従来この種の容器に使用されているものであればいかなるものでも採用可能である。
【００１８】
本発明では、さらに、装着筒周壁４ａ上方内端から嵌合筒１７を起立するとともに、押下げヘッド１３に嵌合したカバーキャップ１８下部内面を嵌合筒１７外面へ凹凸の係合手段を介して嵌合させ、かつ、カバーキャップ下端を内向きフランジ状頂壁１４上面へ載置させる。
【００１９】
凹凸の係合手段としては、例えば、図２に示すように嵌合筒１７の外周面に形成された係合凹溝１９と、カバーキャップ１８内面に形成された係合突部２０とで形成してもよい。この場合には、凹溝１９は垂直部２１ａと周方向への水平部２１ｂとからなる角部が彎曲状にされたＬ字状に形成し、垂直部２１ａの上端を嵌合筒１７上面に開口させるとともに、水平部２１ｂをカバーキャップ１８のねじ込み方向に向けて形成する。さらに、係合凹溝１９の終端部の上側面に係合突部２０が強制乗り越え可能な突部２１ｃを形成する。なお、カバーキャップ１８外周面には、係合突部２０と対応する位置に小突起等の目印を付しておく。
【００２０】
上記のように、装着筒周壁４ａは容器体口頸部３外面へ嵌合させるが、この嵌合は次のようにして行う。すなわち、装着筒周壁４ａ内面と容器体口頸部３外面とのそれぞれに突条を周設しておき、装着筒周壁４ａ下端を容器体口頸部３上端へ軽く嵌合させた状態で適当な治具を用いて装着筒周壁４ａ上端に下方への外力を加えることで周壁４ａを口頸部３に嵌合させる。
【００２１】
このように装着筒周壁４ａは容器体口頸部３へ強固に嵌合されているが、後述するようにカバーキャップ１８の着脱操作時に、装着筒周壁４ａが周方向に回動するおそれもある。そこで、図３に示すように、周壁４ａ上端内面と口頸部３上端外面とに互いに係合する回り止め突部としてのリブ２１を形成する。なお、このリブ２１は上記のように周壁４ａと口頸部３とのそれぞれの上端ではなく、下端に形成してもよい。
【００２２】
次に作用について説明する。
押下げヘッド１３を押し下げて、容器体内容物をノズル１２から吐出させた後、カバーキャップ１８を押下げヘッド１３に嵌合させるが、この場合には、カバーキャップ１８外周面に付された目印が凹溝１９の上面開口の上方に位置するようにして、係合突部２０と凹溝１９とを位置合わせした後、カバーキャップ１８を押下げヘッド１３から嵌合筒１７に押し込めばよく、すると係合突部２０が凹溝１９の上面開口に嵌合して凹溝１９の垂直部２０を下降する。
【００２３】
係合突部２０が下降して凹溝１９の彎曲状の角部に当接すると、係合突部２０は周方向に向きを変えられるため、以後はカバーキャップ１８を周方向に回して、突部２１ｃを強制乗り越えさせる。カバーキャップ１８を取外すには、カバーキャップを上記と反対方向に回して突部２１ｃを強制乗り越えさせ、次いで係合突部２０が凹溝１９の角部に当接したならば、上方に引けばよい。
【００２４】
図４は、凹凸の係合手段の他の例を示すもので、この例では、嵌合筒１７外面に一条の雄ネジ２２を形成するとともに、カバーキャップ１８内面に雌ネジ２３を形成することで凹凸の係合手段を構成している。この場合においても、螺合後のカバーキャップ１８が簡単に弛まないようにすべく、次のような手段を設ける。
【００２５】
すなわち、雄ネジ２２の終端部を、雌ネジ２３が、雄ネジ終端部と該終端部の上側に位置したネジ部分との間のネジ溝部分にきつく侵入位置すると共に、雌ネジ溝部分に終端部がきつく侵入位置する値の幅に成形する。
【００２６】
図２に示す凹溝１９としては上記に限らず、例えば、図５に示すように、Ｌ字状に屈曲させることなく、直線状にしてもよく、この場合には凹溝１９の下端部の両側面ないし一側面に係合突部２０が強制乗り越え可能な突部２４を形成する。突部はカバーキャップ１８が弛んで簡単に嵌合筒１７から外れないようにするためのもので、したがって、図面に示すような突起状物に限らず、たとえば、凹溝１９の終端部の溝幅を徐々に狭くして、最小幅を係合突部２０が強制通過し得る程度の幅にするとともに、この最小幅より先の溝幅を係合突部２０の径よりも大にして遊嵌部に形成することも可能である。
【００２７】
図６は本発明を、ポンプを有しない振り出し容器等の他の種類の容器に適用したもので、容器体２５口頸部へ嵌合させた装着筒周壁４ａ上端に付設した内向きフランジ状頂壁２６の内周から吐出部としての吐出筒２７を起立するとともに、内向きフランジ状頂壁２６外周部から吐出筒２７を囲繞する嵌合筒２８を起立し、さらに、吐出筒２７外面と嵌合筒２８内面との間の環状空間上面を環状壁２９で閉塞して、吐出筒２７の上端部を環状壁２９から突出させている。
【００２８】
嵌合筒外面には図２に示す凹溝１９を軸対称位置に一対形成するとともに、嵌合筒へ嵌合させるカバーキャップ１８下部内面には図２に示すのと同様の係合突部(図示せず)を形成して、図２に示すと同様にして係合突部を凹溝１９に摺動自在に係合させる。
【図面の簡単な説明】
【００２９】
【図１】本発明に係る携帯用吐出器の一部切欠き断面図である。
【図２】本発明の要部を示すもので、凹凸係合手段の一例を示す斜視図である。
【図３】容器体口頸部と装着筒周壁との嵌合状態を示す断面図である。
【図４】凹凸の係合手段の他の例を示す斜視図である。
【図５】凹凸の係合手段のさらなる他の例を示す斜視図である。
【図６】他の携帯用吐出器の斜視図である。
【符号の説明】
【００３０】
１  容器体
２  ポンプ
３  容器体口頸部
４  装着筒
４ａ  周壁  
１１  ステム
１２  ノズル
１３  押下げヘッド
１７  嵌合筒
１８  カバーキャップ
１９  係合凹溝  
２０  係合突部
２２  雄ネジ
２３  雌ネジ
２１ｃ、２４  突部
【図１】
2008030831.tif 000003
【図２】
2008030831.tif 000004
【図３】
2008030831.tif 000005
【図４】
2008030831.tif 000006
【図５】
2008030831.tif 000007
【図６】
2008030831.tif 000008